(57)【要約】【課題】小型化及び薄型化されたスピーカを有する画像表示モジュールを提供する。【解決手段】液晶表示モジュールは、液晶表示ユニット１、その裏側に配置されたバックライトユニット２、さらにその裏側に配置された外装ケース４と、前記バックライトユニット２と外装ケース４の間に配置された音源ユニット３で構成されている。前記外装ケース４の側壁４２に凸部４２１が形成され、バックライトユニット２及び液晶表示ユニット１の対応する各側面と前記凸部４２１とにより囲繞された空間が、前記音源ユニット３より発せられた音波をモジュール前面側に導く導音路５を形成している。【選択図】      図３
2007124634.tif 000002
【特許請求の範囲】
【請求項１】
平面型の画像表示パネルと、
前記画像表示パネルの表示の観察側とは反対側の背面側に設置された音源素子と、
前記音源素子から発せられる音波を表示の観察側に導く導音路とを有することを特徴とする画像表示モジュール。
【請求項２】
さらに、前記画像表示パネルと前記音源素子とを収納するケースを備え、前記画像表示パネルの側面と前記ケースの対応する側壁とに囲われた空間により前記導音路が形成されていることを特徴とする請求項１に記載の画像表示モジュール。
【請求項３】
さらに、前記画像表示パネルと前記音源素子との間に配置され、前記画像表示パネルを照明するバックライトユニットと、前記画像表示パネルと前記バックライトユニット及び前記音源素子を収納するケースとを備え、前記画像表示パネルの側面と前記バックライトユニットの側面と前記ケースの対応する側壁により囲まれた空間により前記導音路が形成されていることを特徴とする請求項１に記載の画像表示モジュール。
【請求項４】
前記ケースの側壁には、前記画像表示パネルの側面よりも突出した凸部が形成され、前記画像表示パネルの側面と前記凸部とに囲われた空間が前記導音路を形成していることを特徴とする請求項２又は請求項３に記載の画像表示モジュール。
【請求項５】
さらに、前記画像表示パネルと前記音源素子を収納するケースを備え、
前記音源素子は、供給される音声信号に応じて振動する振動素子からなり、この振動素子の周囲の両面をスペーサにより挟んで、前記画像表示パネルとこれよりも裏側の前記ケースとの間に配置されていることを特徴とする請求項１に記載の画像表示モジュール。
【請求項６】
前記音源素子と前記画像表示パネルの裏側、及び前記音源素子と前記ケースとの間にそれぞれ配置されたスペーサのうちの少なくとも一方には、前記スペーサによって前記音源素子と前記画像表示パネル及び／又は前記ケースとの間にそれぞれ形成された空間を導音路に連通させるための切欠き部が形成されていることを特徴とする請求項５に記載の画像表示モジュール。
【請求項７】
さらに、前記画像表示パネルと前記音源素子との間に配置され、前記画像表示パネルを照明するバックライトユニットと、前記画像表示パネルと前記バックライトユニット及び前記音源素子を収納するケースとを備え、
前記音源素子は、供給される音声信号に応じて振動する振動素子からなり、この振動素子の周囲の両面をスペーサにより挟んで、前記画像表示パネルよりも裏側のバックライトユニットと前記ケースとの間に配置されていることを特徴とする請求項１に記載の画像表示モジュール。
【請求項８】
前記音源素子と前記バックライトユニット、及び前記音源素子と前記ケースとの間にそれぞれ配置されたスペーサのうちの少なくとも一方には、前記スペーサによって前記音源素子と前記バックライトユニット及び／又は前記ケースとの間にそれぞれ形成された空間を導音路に連通させるための切欠き部が形成されていることを特徴とする請求項７に記載の画像表示モジュール。
【請求項９】
前記音源素子は、印加電圧に応じて振動する圧電素子の両面に一対の電極を導通設置してなる圧電振動子であることを特徴とする請求項１に記載の画像表示モジュール。
【請求項１０】
前記音源素子は、振動板と、この振動板の少なくとも一方の面に設けられ、印加電圧に応じて振動する圧電素子と、この圧電素子の両面に導通接続された一対の電極とからなることを特徴とする請求項１に記載の画像表示モジュール。
【請求項１１】
さらに、前記画像表示パネルと前記音源素子を収納するケースと、前記音源素子の振動板を前記ケースに支持するためのスペーサとを備えることを特徴とする請求項１０に記載の画像表示モジュール。
【請求項１２】
さらに、絶縁樹脂材料からなるフレキシブルなベースフィルム表面に配線パターンが形成され、前記音源素子に信号電圧を供給するフレキシブル配線基板を備え、該フレキシブル配線基板は前記ベースフィルムの裏面を前記ケース内面に向けて配置されていることを特徴とする請求項１乃至請求項１１のうちの何れかの請求項に記載の画像表示モジュール。
【請求項１３】
前記画像表示パネルは、一対の基板間に液晶を挟持してなる液晶表示パネルからなることを特徴とする請求項１乃至請求項１２のうちの何れかの請求項に記載の画像表示モジュール。
【請求項１４】
平面型の画像表示パネルと、
前記画像表示パネルの表示の観察側とは反対側の背面側に設置された２つの音源素子と、
前記２つの音源素子から発せられる２つの音波を、それぞれ表示の観察側に導く２つの導音路とを有することを特徴とする画像表示モジュール。
【請求項１５】
さらに、前記画像表示パネルと前記音源素子との間に配置され、前記画像表示パネルを照明するバックライトユニットと、
前記画像表示パネルと、前記バックライトユニットと、及び前記２つの音源素子を前記画像表示パネルの対向する辺に隣接させた位置にそれぞれ収納し、それぞれの音源素子が隣接する互いに対向する２つの側壁に、前記画像表示パネルの側面に沿って突出して細長い長方型の空間を形成する２つの突出壁がそれぞれ形成され、前記画像表示パネルの対向する２つの側面と、前記バックライトユニットの対向する２つの側面と、前記ケースの２つの側壁によりそれぞれ囲まれた空間により前記２つの導音路をそれぞれ形成するためのケースと、
前記２つの音源素子それぞれと前記バックライトユニットとの間に、それぞれの音源素子の周囲に沿って配置され、それぞれの導音路に連通させるための切欠き部が形成された弾性体からなる２つの第１のスペーサと、
前記２つの音源素子それぞれと前記ケースとの間に、それぞれの音源素子の周囲に沿って配置され、それぞれの音源素子を前記ケースに支持するための２つの第２のスペーサとを備えることを特徴とする請求項１４に記載の画像表示モジュール。
【発明の詳細な説明】
【技術分野】
【０００１】
この発明は、スピーカ装置を有する平型の画像表示モジュールに関する。
【背景技術】
【０００２】
近年、携帯電話機等のモバイル機器のディスプレイとして、液晶表示パネルや有機ＥＬディスプレイ等の小型薄型化に好都合な平型画像表示パネル（以下、ＦＰＤ（Flat Panel Display）という）が多用されている。
【０００３】
一方、携帯電話機は単なる電話機からテレビやＰＤＡ（Personal Data Assistants ）等の機能を備えた複合機として進歩しつつあり、そのようなモバイル機器に用いられるディスプレイとしては、映像を表示するだけでなく、音声を発するスピーカ機能を備えることが要求されている。
【０００４】
スピーカを備えたモバイル機器のＦＤＰの一例として、特許文献１に示されるような車載用液晶表示パネルが知られている。
【特許文献１】特開昭６２−２３１８４７号公報
【発明の開示】
【発明が解決しようとする課題】
【０００５】
上述の車載用液晶表示パネルでは、映像表示ディスプレイとスピーカが機器の前面に並設されている。このようにスピーカを機器前面の映像表示ディスプレイに並設すると、機器全体の面積が大きくなり、小型化の要求に逆行することとなり、携帯電話機のような薄型化と小型化が共に要求されるモバイル機器のディスプレイとしては適さない。
【０００６】
本発明の目的は、小型化及び薄型化されたスピーカ付画像表示モジュールを提供することである。
【課題を解決するための手段】
【０００７】
本発明の第１の観点による画像表示モジュールは、平面型の画像表示パネルと、前記画像表示パネルの表示の観察側とは反対側の背面側に設置された音源素子と、前記音源素子から発せられる音波を表示の観察側に導く導音路とを有することを特徴とするものである。
【０００８】
また、本発明の第２の観点による液晶表示モジュールは、平面型の画像表示パネルと、前記画像表示パネルの表示の観察側とは反対側の背面側に設置された２つの音源素子と、前記２つの音源素子から発せられる２つの音波を、それぞれ表示の観察側に導く２つの導音路とを有することを特徴とするものである。
【発明の効果】
【０００９】
本発明の第１の観点による画像表示モジュールによれば、音源素子を画像表示パネルの背面側に設置し、音源素子により発生させた音波を表示の観察側となる表側へ導く導音路を設けたから、機器全体の面積を小さくし、且つ薄くすることができ、携帯電話機等の機器に適用可能となる。
【００１０】
また、本発明の第２の観点による画像表示モジュールによれば、画像表示パネルの裏側に２つの音源素子を配置し、これらの２つの音源素子により発生させた２つの音波を異なる２つの導音路により画像表示パネルの前面に導いて放音するようにしたから、これらの２つの音源素子を用いてステレオ的な音響効果を得ることができる。
【発明を実施するための最良の形態】
【００１１】
（第１実施形態）
図１は本発明の第１実施形態としての液晶表示モジュールを示す斜視図で、図２はそのII−II線断面図、図３はその分解斜視図である。
【００１２】
本実施形態の液晶表示モジュールは、図３に示されるように、大略、液晶表示ユニット１、バックライトユニット２、音源ユニット３、及び外装ケース４とで構成されている。
【００１３】
液晶表示ユニット１は、パネルケース１１と、このパネルケース１１内に収納された液晶表示パネル１２とからなっている。前記液晶表示パネル１２は、図２に示されるように、図示しない電極がそれぞれ形成された一対の矩形をなすガラス基板１２１、１２２を、それぞれの電極形成面を対向させて図示しない枠状シール材により所定の間隙を保って接合し、前記枠状シール材で囲まれたガラス基板１２１、１２２間に図示しない液晶を封入して構成されている。パネルケース１１には、表示を観察するための窓１１１が穿設されている。そして、液晶表示パネル１２には、外部の駆動制御回路から液晶を駆動するための制御信号電圧を供給するフレキシブル配線基板１３が電気接続されている。
【００１４】
液晶表示ユニット１の表示の観察側とは反対側の背面側には、バックライトユニット２が設置されている。バックライトユニット２は、実質的に透明な矩形板からなる導光板２１と、導光板２１の一端面（光入射端面）に対向配設された点光源素子としてのＬＥＤ（Light-Emitting Diode）２２、ＬＥＤ２２に対する給電配線回路が形成された回路基板２３、及び導光板２１の光出射面（液晶表示パネル１２に対向させる前面）に積層配置された光学シート積層体２４、導光板２１の後面に配置されている光反射シート２５等で構成されている。本実施形態においては、３個のＬＥＤ２２が導光板２１の光入射端面に対し均等に対向配設され、これら３個のＬＥＤ２２は回路基板２３に直接搭載されている。また、光学シート積層体２４は、図２に示されるように、光の出射方向を揃える２枚のプリズムシート２４１、２４２と光拡散シート２４３が導光板２１の光出射面上に順次積層配置されてなる。
【００１５】
バックライトユニット２の背面側には、音源素子としての音源ユニット３が設置されている。音源ユニット３は、振動素子を構成する圧電振動素子を備え、具体的には円板状の圧電セラミック板３１と、その両面にそれぞれ導通貼着された一対の短冊状薄膜電極３２ａ、３２ｂ、圧電セラミック板３１とバックライトユニット２間に介装される切り欠きが形成された「Ｃ」字形の第１のスペーサ３３（以下Ｃ形スペーサという）、圧電セラミック板３１と外装ケース４間に介装される円形の第２のスペーサ３４（以下、円形スペーサという）、及び圧電セラミック板３１に薄膜電極３２ａ、３２ｂを介して音源信号電圧を印加するための配線が形成された音源信号入力用フレキシブル配線基板３５からなる。
【００１６】
ここで、Ｃ形スペーサ３３と円形スペーサ３４は、それぞれ、ウレタンフォーム等の緩衝材料で形成され、前記音源素子の周縁部を弾性的に保持しており、以下の第１〜第３の効果を得るために介設されている。
【００１７】
その第１に、圧電セラミック板３１が振動する際の振幅よりも大きい間隙を充分に確保して支持するためのスペーサとして作用し、前記圧電セラミック板３１を大きな振幅で自由に振動させる効果を奏する。したがって、各スペーサ３３、３４は、それぞれ圧電セラミック板３１の周縁部を支持できる大きさに形成されている。
【００１８】
第２に、圧電セラミック板３１の振動を他の部材に伝えないための緩衝材として作用する。特に、本実施形態のような液晶表示モジュールの場合、液晶表示パネル１２に振動が伝わって、表示不良が発生するのを防止する効果を奏する。
【００１９】
そして、第３には、圧電セラミック板３１が振動することによりその両面から発生する各音波間の干渉を防止し、また導音路を形成するための隔壁として作用する。すなわち、圧電セラミック板３１の後面（外装ケース４との対向面）に設置された円形スペーサ３４は、圧電セラミック板３１の後面を全周にわたり囲繞する閉鎖した円形に形成され、前記圧電セラミック板３１の後面から発生する音波が前面側（バックライトユニット２との対向面側）へ伝播するのを防止し、後面側へ放出している。圧電セラミック板３１の前面に設置されたＣ形スペーサ３３は、前記圧電セラミック板３１前面から発生する音波を伝播させるべき方向にその開口部３３１を向けて設置されている。Ｃ形スペーサ３３の開口部３３１は、後述するように、画像表示パネルと外装ケース４の間に形成された空間により形成される導音路に連通させており、これにより、圧電セラミック板３１の前面から発生する音波が、後面から発生する音波と干渉することなく開口部３１１から導音路に放出され、クリアな音声が得られる。
【００２０】
音源信号入力用フレキシブル配線基板３５は、ポリイミドフィルム等の絶縁樹脂フィルムをベースフィルム３５１とし、このベースフィルム３５１の片側表面に２本の配線３５２、３５３が銅箔をフォトリソグラフィーによりパターニングして形成されている。各配線３５２、３５３の両端には、それぞれ、接続端子３５２ａ、３５２ｂと接続端子３５３ａ、３５３ｂが形成されている。これら配線３５２、３５３の一方の各接続端子３５２ａ、３５３ａには、圧電セラミック板３１の両面にそれぞれ一端部が導通貼着されている一対の薄膜電極３２ａ、３２ｂの各他端部が半田接合される。そして、この音源信号入力用フレキシブル配線基板３５は、その配線形成面をバックライトユニット２に対向させる配置でその背面側に設置されている。
【００２１】
上述した液晶表示ユニット１、バックライトユニット２、及び音源ユニット３は、外装ケース４に収納されている。本実施形態の外装ケース４は、板金材を加工したものであり、液晶表示ユニット１及びバックライトユニット２を嵌め込み収納可能な平面外形を備える上面開放型の矩形箱状に形成されている。この外装ケース４の底板４１の中央部には、長手方向全長にわたり延在させた矩形の凹部４１１が形成されている。この凹部４１１には前記音源ユニット３が収納装着される。凹部４１１の一方の端部には、本実施形態では５個の細孔４１２が十字の配置で穿設されている。これら細孔４１２は、装着される音源ユニット３の圧電セラミック板３１に対向するエリアに穿設され、圧電セラミック板３１の後面から発せられる不要な音波を外装ケース４外に速やかに逸散させるために設けられている。これにより、不要な音波を外装ケース４外の空間（適用機器内における本モジュール設置スペースの余剰空間）に逃がして吸収させ、減衰させることができる。その結果、音源ユニット３から発せられる音声がよりクリアになる。
【００２２】
そして、外装ケース４の四方の側壁のうちの凹部４１１の延在方向に直交する一方の側壁４２には、前記画像表示パネルの側面より突出し音波を導く導音路を形成するための凸部４２１が形成されており、この凸部４２１は、前記画像表示パネルの側面に沿って張り出した細長い長方型の空間を形成する突出壁からなっている。この凸部４２１は、底板４１の凹部４１１の一方の端部に対応させて設けられている。前記音源ユニット３は、その凹部４１１における側壁凸部４２１に対応する端部に装着され、そのＣ形スペーサ３３の開口部３３１は前記側壁４２の凸部４２１に向かって開口している。
【００２３】
なお、一対の長手方向側板のうちの一方の側板４３には、２個の開口４３１、４３２がそれぞれ所定長にわたり形成されている。これら開口４３１、４３２は、それぞれ、液晶表示パネル１１に接合されたフレキシブル配線基板１３及び音源ユニット３の音源信号入力用フレキシブル配線基板３５を、外装ケース４外に引き出すための開口である。
【００２４】
上述のように形成された外装ケース４には、図２に示されるように、音源ユニット３が装着されている。この場合、音源信号入力用フレキシブル配線基板３５のベースフィルム３５１における配線３５２、３５３が形成されていない面を外装ケース４の底板４１に向けて配置されている。これにより、配線３５２、３５３のうちでも絶縁されていない接続端子３５２ａ、３５３ａ等が導電体の板金材で形成された外装ケース４にリークし、また接続端子３５２ａ、３５３ａの間がショートするのを、防止している。
【００２５】
上記音源ユニット２が装着された外装ケース４には、その上にバックライトユニット２と液晶表示ユニット１が順次嵌め込み収納されている。この状態において、側板４２の凸部４２１と収納されたバックライトユニット２及び液晶表示ユニット１の対応する側の各端面とで、導音路５が囲繞形成されている。この導音路５は、圧電セラミック板３１が振動することによりその前面から発せられる音波をスペーサ３３の開口部３３１から液晶表示パネル１１の前面（表示面）側に導くために設けられている。従って、圧電セラミック板３１が入力信号電圧に応じて振動することによりその前面から発せられる音波は、スペーサ３３の開口部３３１から導音路５内に進行し、この導音路５内を伝播して液晶表示パネル１１の表示面（前面）側に放出される。これにより、本液晶表示モジュールの視聴者は、液晶表示パネル１１に表示される映像を観察するとともにそれに関するクリアな音声も聴取できる。
【００２６】
以上のように、本実施形態の液晶表示モジュールは、音源ユニット３を液晶表示ユニット１の背面（後面）側に重ねて設置し、この音源ユニット３から発せられる音波を液晶表示ユニット１の前面側に導く導音路５をモジュール側面に形成したから、音声発生手段つまりスピーカを設けることに起因する液晶表示モジュール全体の面積の増加を小さく抑えることができる。その結果、スピーカ付き液晶表示モジュールを、例えば携帯電話機等の適用できる程度に小型、且つ薄型化が図れる。
【００２７】
また、音源ユニット３においては、圧電セラミック板３１の両面に緩衝材で形成したＣ形スペーサ３３と円形スペーサ３４をそれぞれ設置し、圧電セラミック板３１の両面から発せられる各音波のうちのＣ形スペーサ３３を設置した面から発せられる音波を、選択的にスペーサ開口部３３１から導音路５を介してモジュール前面側へ放出させる構成としたから、クリアな音声が得られる。
【００２８】
さらに、外装ケース４に細孔４１２を穿設し、圧電セラミック板３１の円形スペーサ３４を設置した面から発せられる不用な音波を、前記細孔４１２からモジュール外の空間に逃がして吸収消滅させる構成としたから、より一層クリアな音声が得られる。
【００２９】
またさらに、音源信号入力用フレキシブル配線基板３５の配線形成面とは反対側の面を外装ケース４に向けて配置しているため、各配線３５２、３５３の接続端子３５２ａ、３５３ａ等の配線露出部が導電体の板金で形成された外装ケース４にリークし、また接続端子３５２ａ、３５３ａの間がショートするのを防止して、表示モジュールとしての信頼性が向上する。
【００３０】
加えて、導音路５を専用部材を用いずに外装ケース側板４２と液晶表示ユニット１及びバックライトユニット２の側端面とで囲繞することにより形成したから、部品点数の増加が抑制され、且つ、音源ユニット３を液晶表示ユニット１やバックライトユニット２と１個の外装ケース４内に収納して一体化したから、本液晶表示モジュールが搭載される機器における部品配置設計が極めて容易となると共にその実装組立て作業も簡略化されて製造工数の低減に寄与し、その結果、本実施形態の平型液晶表示モジュールの原価低減が顕著に促進される。
【００３１】
（第２実施形態）
次に、本発明の第２実施形態について、図４及び図５に基づき説明する。なお、上記実施形態と同一の構成要素については同一の符号を付して、その説明を省略する。
【００３２】
本実施形態の液晶表示モジュールは、図４に示されるように、一対の音源ユニット３、６を備えたステレオ音声方式の液晶表示モジュールである。すなわち、上記実施形態の液晶表示モジュールで設けられていた音源ユニット３に加えて、略同じ構成の音源ユニット６を、液晶表示モジュールの表示面の長手方向（画面左右方向）を二等分する中心線に関して左右対称に配置したものである。
【００３３】
この場合、一対の電極３２ａ、３２ｂが導通貼着された圧電セラミック板３１に対応させて同一構成の一対の電極６２ａ、６２ｂが導通貼着された圧電セラミック板６１が、Ｃ形スペーサ３３、円形スペーサ３４に対応させて同一構成のＣ形スペーサ６３、円形スペーサ６４が、それぞれ、前記中心線に対して線対称に配設されている。圧電セラミック板３１，６１それぞれの一対の電極３２ａ、３２ｂ及び一対の電極６２ａ、６２ｂは、それぞれに対応する導電パターンが形成された共通のフレキシブル配線基板６５の前記導電パターンに接続されている。
【００３４】
外装ケース７は、底板７１の凹部７１１に細孔７１２を十字配置した不要音波の逃がし穴群が左右対称な位置にそれぞれ穿設され、一対の短手側板７２、７２にそれぞれ導音路を構成するための凸部７２１、７２１が左右対称に形成され、長手側板７３には上記実施形態と同様に、液晶表示ユニット１に対する制御信号入力用のフレキシブル配線基板１３と音源信号入力用フレキシブル配線基板６５をそれぞれケース７外に引き出すための各開口７３１、７３２が１個づつ設けられている。これにより、図５に示されるようにモジュール表示面の左右に一対の導音路８、９を備えたステレオ音声方式のスピーカ付き液晶表示モジュールが得られる。
【００３５】
以上のように構成された本変形例の平型液晶表示モジュールによれば、信頼性に優れ且つ音声がクリアなスピーカを備える機器の小型化、及び薄型化を図ることができるという上記実施形態と同様の効果に加えて、音声をステレオ方式でクリアに聴取できるという効果が奏される。
【００３６】
なお、本発明は、上記の実施形態に限定されるものではない。
上記の実施形態では、音源ユニット３、６として、円板状の圧電セラミック板３１，６１と、その両面にそれぞれ導通貼着された一対の短冊状薄膜電極３２ａ、３２ｂ、６２ａ、６２ｂとからなる音源素子を用いた例を示したが、これに限ることなく、振動板となるフィルムの少なくとも一方の面に圧電素子を貼り付けた圧電振動子からなる音源素子１０を用いても良い。すなわち、図６に示すように、樹脂または金属からなる円形の振動板１０２の一方または両方に、前記振動板１０２よりも小さい直径を有する圧電素子１０１を貼り付けた圧電振動子を用いる。そして、前記振動板１０２の圧電素子１０１の外形より外側に、Ｃ形スペーサ１０３と円形スペーサ１０４を配置して、前記音源素子１０をケース４，７に固定する。この構成によれば、振動板による振幅の大きな振動が得られ、より強い音圧の音声を発生させることができる。
【００３７】
また、上記実施形態においては、音源素子とバックライトユニット、音源素子とケースとの間にそれぞれ配置されたスペーサのうちの音源素子と画像表示パネルの間に配置されたスペーサに導音路に連通させるための切欠き部を設けたが、これに限ること無く、音源素子とケースとの間に配置されたスペーサに前記導音路に連通させるための切欠き部を設けても良く、或いは、音源素子とバックライトユニット、音源素子とケースとの間にそれぞれ配置されたスペーサの両方に前記切欠き部を設けても良い。この場合、音源素子とケースの間には、音波の位相を反転させるための空間をさらに設けることが好ましい。
【００３８】
さらに、上記実施形態においては、外装ケース４、７が導電体の板金材を加工して形成されているが、これに限らず、外装ケースを絶縁樹脂材料を用いて成形加工してもよい。この場合、外装ケースが絶縁体となる為、音源信号入力用のフレキシブル配線基板の端子間が短絡することがないので、前記フレキシブル配線基板における絶縁ベースフィルムの電極形成面をケースに対向させて配置することもでき、前記フレキシブル配線基板の設計、配置の自由度が増大するという利点が得られる。
【００３９】
加えて、本発明は、バックライト付きの液晶表示モジュールに限らず、反射式液晶表示モジュール或いは有機ＥＬ（Electro Luminescence）ディスプレイやプラズマディスプレイ等の他の種々の平面型画像表示モジュールに広く適用できることは勿論である。
【図面の簡単な説明】
【００４０】
【図１】本発明の第１実施形態としての液晶表示モジュールを示す斜視図である。
【図２】上記液晶表示モジュールを図１のII−II線で切断して示す模式的断面図である。
【図３】上記液晶表示モジュールの分解斜視図である。
【図４】本願発明の第２実施形態としての液晶表示モジュールを示す分解斜視図である。
【図５】上記第２実施形態としての液晶表示モジュールを示す斜視図である。
【図６】音源素子の変形例を示す分解斜視図である。
【符号の説明】
【００４１】
１                            液晶表示ユニット
１１                          パネルケース
１１１                        表示窓
１２                          液晶表示パネル
１２１、１２２                ガラス基板
１３                          フレキシブル配線基板
２                            バックライトユニット
２１                          導光板
２２                          ＬＥＤ
２４                          光学シート積層体
２５                          光反射シート
３、６                        音源ユニット
３１、６１                    圧電セラミック板
３２ａ、３２ｂ
６２ａ、６２ｂ            薄膜電極
３３、６３、１０３            Ｃ形スペーサ
３４、６４、１０４            円形スペーサ
３５、６５                    音源信号入力用フレキシブル配線基板
４、７                        外装ケース
４１                          底板
４１１                        凹部
４１２                        細孔
４２                          側板
４２１                        凸部
５，８                        導音路
１０                          音源素子
１０１                        圧電素子
１０２                        振動板
【図１】
2007124634.tif 000003
【図２】
2007124634.tif 000004
【図３】
2007124634.tif 000005
【図４】
2007124634.tif 000006
【図５】
2007124634.tif 000007
【図６】
2007124634.tif 000008